(57)【特許請求の範囲】
【請求項１】
アオコの増殖を抑制ないしはアオコを死滅させるように制御すべき湖沼等の水面の一部に遮光部材を適宜設置してその所要面積を遮光できるようにすると共に、前記遮光部材の下部の水底及び非遮光部の水底に送気筒を立設して、該送気筒に空気を送給することにより、昼間は非遮光部を曝気して該非遮光部の水を遮光部材下部に移動させ、夜間は遮光部材下部を曝気して該遮光部材下部の水を非遮光部に移動させることを特徴とする湖沼等におけるアオコの制御方法。
【請求項２】
送気筒は、下端部に重錘を装着して水底に立設し、その下部に圧縮空気を送給する送気管の一端部を接続し、該送気管の他端部を開閉弁を介して空気圧縮機に接続した請求項１に記載のアオコの制御方法。
【発明の詳細な説明】
【０００１】
【発明の属する技術分野】
本発明は、湖沼等（以下、湖，沼，池等を総称する）におけるアオコの増殖を抑制ないしはアオコを死滅させるように制御する方法に関するものである。
【０００２】
【従来の技術】
湖沼等の水質を改善する方法や装置としては、従来、種々のものが提案され、実用に供されているものもあるが、未だ、充分に満足すべき効果を挙げているものは殆どない。即ち、従来は湖沼等の水の汚染の原因は主としてアオコ等の藻類の増殖、特にアオコはその最たるものと考えられ、その増殖抑制及び除去について研究が進められてきたが、従来の方法は水中の窒素及び燐を除去したり、薬剤を投入することにより、アオコ等の増殖抑制及び除去を図ったものであるからである。
【０００３】
そこで、本発明の発明者は、先に、湖沼等の表面の一部に遮光部材を設置し、適宜範囲にわたって遮光することにより、アオコ等の藻類を、その増殖を抑制ないしは死滅するように制御する方法，装置を発明し、特許出願を行っている。
【０００４】
上記の遮光によるアオコ等の藻類の制御方法，装置は、一応の成果を挙げることができるが、本発明者は更に研究を重ねた結果、湖沼における遮光によるアオコの制御には、遮光部材の下の暗部に存在する少量のアオコを含んだ水を、非遮光部分の多量のアオコを含んだ水と移動交換させ、非遮光部分の水を遮光部材の下の暗部に一定期間滞留させる必要があることを知得した。
【０００５】
即ち、小さい湖沼や池の場合には、昼夜にわたる遮光部材の下の水と、非遮光部分の水との温度差並びに自然の風波による流れによって、水の移動交換が行われ、アオコの制御を行うことができるが、面積の広い湖沼では、自然条件だけでは満足な水の移動交換が行われない場合があり、このような場合には、遮光によるアオコの制御に満足すべき成果を得ることができないので、強制的に水の移動交換が行われるようにすることにより、有効にアオコを制御できることを知得したのである。
【０００６】
【発明が解決しようとする課題】
本発明は上述のような従来技術に鑑み、面積が広く、自然条件だけでは満足すべき水の移動交換が行われない湖沼等のアオコの増殖を抑制ないしは死滅するように制御できる方法を提供することを、その課題とするものである。
【０００７】
【課題を解決するための手段】
上記課題を解決することを目的としてなされた本発明アオコの制御方法の構成は、アオコの増殖を抑制ないしはアオコを死滅させるように制御すべき湖沼等の水面の一部に遮光部材を適宜設置してその所要面積を遮光できるようにすると共に、前記遮光部材の下部の水底及び非遮光部の水底に送気筒を立設して、該送気筒に空気を送給することにより、昼間は非遮光部を曝気して該非遮光部の水を遮光部材下部に移動させ、夜間は遮光部材下部を曝気して該遮光部材下部の水を非遮光部に移動させることを特徴とするものである。
【０００８】
即ち、本発明アオコの制御装置は、自然条件だけでは水の移動交換ができない湖沼等において、遮光部位の下部から空気を射出し、昼間は非遮光部の水を遮光部材下部に移動させ、夜間は遮光部材下部の水を非遮光部に移動させることにより、強制的に前記水の移動交換を行うことができるようにして、アオコの制御を効果的に行えるようにしたものである。
【０００９】
【発明の実施の形態】
次に、本発明の実施の形態例を図により説明する。図１は本発明の一例の装置を用いてアオコの制御を行っている状態を示す図、図２は送気筒の縦断正面図である。
【００１０】
図において、１は湖Ｌに浮上させて設置した遮光部材、２は該遮光部材１の真下の水底に設置した送気筒、2aは湖Lの非遮光部の水底に設置した送気筒で、それら送気筒２，2aはワイヤ３等を介して重錘４を取付け、水底Ｂに直立するように配備さている。５は湖壁Ａの上端面に設置した空気圧縮機、６は圧縮空気の分配部、７は該分配部６に設けた電磁開閉弁、８は一端部を前記送気筒２の下部に取付け他端部を前記電磁開閉弁７に接続した送気管である。
【００１１】
上記例においては、送気筒２を一つの遮光部材１のみの下部に配備するようにしたが、送気筒２を複数の遮光部材１の個々の下部に配備すると共に、分配部６に複数の電磁開閉弁７を設け、一つの空気圧縮機５から複数の遮光部材１の下部に配備した送気筒２に圧縮空気を送給するようにしてもよい。また、非遮光部の水底に設置する送気筒2aは送気筒２から遮光部材１の幅程度離隔して設置すると、効率よくアオコを制御することができる。
【００１２】
而して、本発明方法は、自然条件だけでは満足な湖水の移動交換が行われない場合、電磁開閉弁７を開き、空気圧縮機５から送気管８を介して送気筒２に圧縮空気を送給すれば、該圧縮空気は遮光部材１の下部の湖水内に送られて該湖水を曝気すると共に、湖水は前記圧縮空気の圧力により動かされて移動し、この移動に伴って、遮光部材下部の水を非遮光部に移動させて所要の水の移動交換が行われるようにしたものであるが、本発明方法は、更に、昼間は非遮光部の水を遮光部材下部に移動させ、夜間は遮光部材下部の水を非遮光部に移動させることにより、強制的に且つ効果的に前記水の移動交換を行うことによって、アオコの増殖を制御ないしはアオコを死滅させることができるのである。
【００１３】
なお、実際の実施に際しては、遮光されない湖Ｌの非遮光部の中央付近の水底に送気筒2aを配備しておき、昼間は、前記送気筒2aを駆動して曝気するようにし、夜間は、送気筒２を駆動して遮光部材１の下部の水の曝気を行うのであるが、この送気筒による曝気作業は、遮光部分の水量が入れ替わるのを基本にして算出すればよく、従って、アオコが活性を失うにいたる日数の間隔を考えて、送気筒２，2aを駆動するようにすればよく、送気筒の駆動は太陽電池その他適宜の手段により行うようにするものとする。
【００１４】
また、風速が５ｍになった場合は、自然の風力により湖水の移動が充分に行われるので、前記曝気装置による曝気は停止するものとする。
【００１５】
【発明の効果】
本発明は上述のとおりであって、本発明アオコの制御方法は、アオコの増殖を抑制ないしはアオコを死滅させるように制御すべき湖沼等の水面の一部に遮光部材を適宜設置してその所要面積を遮光できるようにすると共に、前記遮光部材の下部の水底及び非遮光部の水底に送気筒を立設して、該送気筒に空気を送給することにより、昼間は非遮光部を曝気して該非遮光部の水を遮光部材下部に移動させ、夜間は遮光部材下部を曝気して該遮光部材下部の水を非遮光部に移動させる方法であるから、面積が広く、湖水の移動交換が行われにくい湖沼等の遮光によるアオコの制御に際して、送気筒から圧縮空気を遮光部材に向けて射出すれば、遮光部材の下部の水が曝気されると共に圧縮空気の圧力により水が移動交換されるので、広い湖沼等においても、遮光によるアオコ制御が効果的に行われ、従って、遮光面積を減少させることができる。即ち、遮光部材の数を節減できるのである。
【図面の簡単な説明】
【図１】本発明アオコ制御装置を用いてアオコの制御を行っている状態を示す図。
【図２】送気筒の縦断正面図。
【符号の説明】
１  遮光部材
２，2a  送気筒
３  ワイヤ
４  着底用の重錘
５  空気圧縮機
６  分配部
７  電磁開閉弁
８  送気管
Ｌ  湖沼等
Ａ  湖壁
Ｂ  水底
【図１】
0004392953.tif 000002
【図２】
0004392953.tif 000003